(57)【要約】【課題】少なくとも１つの光学作用する反射面を有した光学素子を固定するために、光学素子の一部に適切に設けた固定部を利用することにより、簡単、小型かつ安価に、光ピックアップに要求される剛性を滞足させ得る、光ピックアップの対物レンズ等の光学素子を提供する。【解決手段】光学作用する入射面と、少なくとも１つの光学作用する反射面と、光学作用する出射面とを有する、光束を光記録媒体に集光するための光ピックアップ用の光学素子である対物レンズ１は、光学作用面外に凸状の固定部である対物レンズツバ１ａ、１ｂ、１ｃを設け、対物レンズツバ１ａ、１ｂから見たときに１ｃは対向する位置ではないところに配置され、対物レンズツバ１ｃから見たときに１ａ、１ｂは共に対向する位置ではないところに配置されるようにした。【選択図】図４
2005321509.tif 000002
【特許請求の範囲】
【請求項１】
光学作用する入射面と、少なくとも１つの光学作用する反射面と、光学作用する出射面とを有する、光束を光記録媒体に集光するための光ピックアップ用の光学素子であって、
光学作用面外に凸状の固定部を３個所以上設けるとともに、各固定部において少なくとも１個所の固定部は対向する位置に配置されないようにしたことを特徴とする光学素子。
【請求項２】
前記固定部は、４個所設けられていることを特徴とする請求項１記載の光学素子。
【請求項３】
前記固定部は、他部材に固定するための固定面を有しており、該固定面は出射面より出射する光束の光軸に対し、垂直な面内にあることを特徴とする請求項１または２記載の光学素子。
【請求項４】
前記固定部の内の少なくとも２個所は他部材に固定するための同一平面内にある固定面を有しており、他の固定部の内の少なくとも１個所は前記平面内で前記他部材と接触することがないように前記平面と位置をずらされて配置されていることを特徴とする請求項１〜３の何れか１項記載の光学素子。
【請求項５】
光学作用する入射面と、少なくとも１つの光学作用する反射面と、光学作用する出射面とを有する、光束を光記録媒体に集光するための光ピックアップ用の光学素子であって、
光学作用面外の対向する位置に複数の凸状の固定部を設けるとともに、該対向する複数の凸状の固定部を接続する連続形状の凸部を設け、前記対向する複数の凸状の固定部を接続する連続形状の凸部の前記複数の凸状の固定部と対向しない少なくとも１個所に固定部が形成されるようにしたことを特徴とする光学素子。
【請求項６】
前記複数の固定部が前記光学素子から凸状に突出する方向と直交する方向から見たときの前記固定部の外形は、前記固定部が設けられる部分の光学素子の外形とほぼ相似形状になっていることを特徴とする請求項１〜５の何れか１項記載の光学素子。
【請求項７】
前記固定部に凹部を設けたことを特徴とする請求項１〜６の何れか１項記載の光学素子。
【発明の詳細な説明】
【技術分野】
【０００１】
この発明は、光束を光記録媒体に集光するための光ピックアップ等に用いられる光学素子、特に、対物レンズを用いた光ピックアップ装置において光源から出射した光束を集光光学系で情報記録面に集光させ、光情報記録媒体上に情報を記録したり、情報記録面上の情報を再生したりする光学素子に関するものである。
【背景技術】
【０００２】
近年、光ディスクの記録密度向上のため、レーザ波長の短波長化と対物レンズの開口数を上げるという手法が必要となっている。このような光ディスク装置の例としては、光源として４０５ｎｍの青色レーザを用いるとともに、開口数が０．８５以上の対物レンズを用いた構成が用いられている。このような構成の改善のためには、対物レンズを複数枚の光学素子で構成する必要が生じる。
【０００３】
上記構成の改善のために、２面以上の反射面を有したプリズムにより構成した光ピックアップの対物レンズ（例えば特許文献１参照）が提案されている。この特許文献１記載の構成により、レンズ（光学素子）が１つでありながら、同様な性能が実現されている。
また、上記構成の改善のために、位置決め固定部が設けられているプリズム素子を用いる光ピックアップ装置が提案されている。
【０００４】
【特許文献１】特開２００２−２１４５３１号公報
【特許文献２】特開平９−７３００５号公報
【発明の開示】
【発明が解決しようとする課題】
【０００５】
特許文献１に開示されているような、２面以上の反射面を有したプリズムにより構成した光ピックアップの対物レンズは、外形が複雑であるため、光ピックアップの駆動ユニットに対物レンズを固定するときに、プリズムの入射面や反射面に応力を掛けずに光学的歪みが無いように取り付けるためには、複雑な取付部材が必要となってしまう。
【０００６】
その対策として、特許文献２に開示されている位置決め固定部を用いれば、容易に固定することができる。以下、図４０を用いて固定時の状態を説明する。図４０において、光学素子１０１の対向する位置には、位置決め部１０１ａ、１０１ｂが設けられている。光学素子１０１を設置するホルダ１０２において、光学素子１０１は位置決め部１０１ａ、１０１ｂを介して位置決めされており、接着剤１０３ａ、１０３ｂで固定されている。
しかしながら、このような固定構造を採用した場合には、図４１に示すように、光ピックアップの対物レンズが光ディスクの面ぶれに追従して駆動されるときに加わる振動に対して、両持ち梁の状態で光学素子（対物レンズ）が支持されるため、梁の中央にマスとして光学素子がある形となり、この系の固有値は小さいものとなってしまう。そのため、駆動時に共振して、矢印Ｐ、Ｑのようなに余分な上下振動が発生してしまい、光ディスクの面ぶれに追従できなくなってしまい、光ディスク上に情報を記録したり、あるいは、光ディスク上の情報を再生したりすることができなくなってしまう。
【０００７】
本発明は、上述した問題に鑑み、少なくとも１つの光学作用する反射面を有した光学素子を固定するために、光学素子の一部に適切に設けた固定部を利用することにより、簡単、小型かつ安価に、光ピックアップに要求される剛性を滞足させ得る、光ピックアップの対物レンズ等の光学素子を提供することを目的とする。
【課題を解決するための手段】
【０００８】
上記目的を達成するため、請求項１に記載の第１発明は、光学作用する入射面と、少なくとも１つの光学作用する反射面と、光学作用する出射面とを有する、光束を光記録媒体に集光するための光ピックアップ用の光学素子であって、光学作用面外に凸状の固定部を３個所以上設けるとともに、各固定部において少なくとも１個所の固定部は対向する位置に配置されないようにしたことを特徴とする。
【０００９】
第１発明において、請求項２に記載の如く、前記固定部は、４個所設けられていることが、さらに剛性を増加させる上で好ましい。
第１発明において、請求項３に記載の如く、前記固定部は、他部材に固定するための固定面を有しており、該固定面は出射面より出射する光束の光軸に対し、垂直な面内にあることが、簡単に精度良く光軸を位置決めできるようにする上で好ましい。
第１発明において、請求項４に記載の如く、前記固定部の内の少なくとも２個所は他部材に固定するための同一平面内にある固定面を有しており、他の固定部の内の少なくとも１個所は前記平面内で前記他部材と接触することがないように前記平面と位置をずらされて配置されていることが、固定部の設計の自由度を増加させる上で好ましい。
【００１０】
上記目的を達成するため、請求項５に記載の第２発明は、光学作用する入射面と、少なくとも１つの光学作用する反射面と、光学作用する出射面とを有する、光束を光記録媒体に集光するための光ピックアップ用の光学素子であって、光学作用面外の対向する位置に複数の凸状の固定部を設けるとともに、該対向する複数の凸状の固定部を接続する連続形状の凸部を設け、前記対向する複数の凸状の固定部を接続する連続形状の凸部の前記複数の凸状の固定部と対向しない少なくとも１個所に固定部が形成されるようにしたことを特徴とする。
【００１１】
第２発明において、請求項６に記載の如く、前記複数の固定部が前記光学素子から凸状に突出する方向と直交する方向から見たときの前記固定部の外形は、前記固定部が設けられる部分の光学素子の外形とほぼ相似形状になっていることが、軽量化によって耐加速度性を向上させる上で好ましい。
第２発明において、請求項７に記載の如く、前記固定部に凹部を設けたことが、作業性を向上させるとともに、剛性を増加させる上で好ましい。
【発明の効果】
【００１２】
第１発明によれば、光学作用する入射面と、少なくとも１つの光学作用する反射面と、光学作用する出射面とを有する、光束を光記録媒体に集光するための光ピックアップ用の光学素子は、光学作用面外に凸状の固定部が３個所以上設けられており、各固定部において少なくとも１個所の固定部は対向する位置に配置されないようになっているから、光学作用面外に３個所以上設けた凸状の固定部を利用して、光学素子を例えば光学素子フォルダに固定することにより、特別な固定部材を介することなく、安価に、高剛性の接合が可能になる。したがって、簡単、小型かつ安価に、光ピックアップに要求される剛性を滞足させ得る、光ピックアップの対物レンズ等の光学素子を提供することができる。
【００１３】
第２発明によれば、光学作用する入射面と、少なくとも１つの光学作用する反射面と、光学作用する出射面とを有する、光束を光記録媒体に集光するための光ピックアップ用の光学素子は、光学作用面外に凸状の固定部が設けられており、この凸状の固定部は、対向する複数の連続した固定部と、該複数の連続した固定部を接続する１つの連続した固定部とから成り、前記１つの連続した固定部の前記複数の連続した固定部と対向しない少なくとも１個所に固定部が形成されることになるので、前記１個所の連続した固定部の前記複数の連続した面と対向する位置にない面内の位置を例えば光学素子フォルダに固定することにより、特別な固定部材を介することなく、安価に、高剛性の接合が可能になる。したがって、簡単、小型かつ安価に、光ピックアップに要求される剛性を滞足させ得る、光ピックアップの対物レンズ等の光学素子を提供することができる。さらに、凸状の固定部を連続形状にしたため、光学素子とその支持部材との剛性が増加し、光学素子とその支持部材との接触面も増えるので、より高剛性になる。
【発明を実施するための最良の形態】
【００１４】
以下、本発明を実施するための最良の形態を図面に基づき詳細に説明する。
【００１５】
［第１実施形態］
図１〜図１１は本発明の第１実施形態の光ピックアップ装置を示すものであり、図１は本発明の第１実施形態の光ピックアップ装置の光ピックアップ駆動ユニットの外観斜視図であり、図２は第１実施形態の光ピックアップ装置の光ピックアップ駆動ユニット内にあるボビン部組の斜視図であり、図３は第１実施形態の光ピックアップ装置の光ピックアップ駆動ユニットの上面図であり、図４は第１実施形態の光ピックアップ装置の対物レンズの斜視図であり、図５は第１実施形態の光ピックアップ装置の対物レンズの上面図であり、図６は第１実施形態の光ピックアップ装置のレンズホルダの上面詳細図であり、図７は第１実施形態の光ピックアップ装置のレンズホルダおよび対物レンズの組立図であり、図８および図９は第１実施形態の光ピックアップ装置のレンズホルダおよび対物レンズの一部断面図であり、図１０は第１実施形態の光ピックアップ装置の対物レンズの光学的作用を説明するための断面図であり、図１１は第１実施形態の光ピックアップ装置の対物レンズの光学的作用を説明するための斜視図である。
【００１６】
まず、図１、図２、図３を用いて第１実施形態の光ピックアップ装置を説明する。図１、図２、図３において、１は対物レンズ、２は対物レンズを備えたレンズホルダ、３はアクチェータベース、４はアクチェータベース３に設置される固定部材、５はレンズホルダ２に設置されたボビンであり、ボビン５の内側には磁石６が配置されている。ボビン５の周りには対物レンズ１を駆動するためのフォーカスコイル９が巻かれており、該ボビン５に隣接してトレッキングコイル１０ａ、１０ｂが配置されている。
【００１７】
また、７ａ〜７ｃおよび７ｄ（図示せず）は、ベリリウム銅製板バネを適用することができる金属弾性部材である。この場合の金属弾性部材７ａ〜７ｄは４本設けた例であり、各金属弾性部材の一端は固定部材４で固定されており、他端はレンズホルダ２に連係していて該レンズホルダ２をディスク記録媒体の略垂直方向（Ｚ方向〉および略半径方向（Ｘ方向）に移動可能に保持するようになっている。
また、８ａ、８ｂは、固定部材４に合わせる蓋体である。蓋体８ａ、８ｂは固定部材４と合わされることによって、金属弾性部材７ａ〜７ｄの一端にダンピング用のゲル状弾性体を充填する空間を形成することになる。
フォーカスコイル９はボビン５に巻き回された巻線となっているが、このようにフォーカスコイル９をボビン５に巻回しレンズホルダ２に配置することにより、該フォーカスコイル９を空芯コイルとして直接固定する場合に生じていた、フォーカスコイル９の変形による内側の磁石６への干渉が防止される。
【００１８】
ボビン５には位置決め用の凸部５ａ、５ｂがその両端に一体的に設けられており、レンズホルダ２に設けた凹部２ａ、２ｂに該凸部５ａ、５ｂを適合させることによって、ボビン５のレンズホルダ２に対する位置決めが行われる。これによって、磁石６、フォーカスコイル９、トラッキングコイル１０ａ、１０ｂの位置ずれが最大限に抑えられる。
【００１９】
フォーカスコイル９、トラッキングコイル１０ａ、１０ｂの金属弾性部材への給電は、レンズホルダ２より各コイルの巻き始めと巻き終わりの端末を引き出し、各々金属弾性部材７ａ〜７ｄに絡ハンダによって接続することにより行う。
【００２０】
４本の金属弾性部材７ａ〜７ｄは、レンズホルダ２および固定部材４のみで固定されるようになっており、金属弾性部材７ａ〜７ｄの一端をレンズホルダ２の受け部２ｃ〜２ｆ（２ｆは図示せず）に載置し、他端を固定部材４の受け部（蓋体８ａ、８ｂで隠れるているため、図示しない）に設置した状態で、該受け部のそれぞれに接着剤を塗布して硬化させ、固定する。金属弾性部材７ａ〜７ｄを固定した状態で、蓋体８ａ、８ｂを固定部材４に合わせて固定すると、それらの間に空間領域ができるので、その空間領域にゲル状弾性体を充填する。
【００２１】
アクチェータベース３は鉄製の部材から成っており、マグネット６をこのベースに固定保持するよう曲げ加工した立ち上げ部３ｂが設けられるとともに、マグネット６からの磁束を受けるアクチェー夕べ−ス３の曲げ加工した立ち上げ部３ａが設けられており、さらに固定部材４を位置決めする立ち上げ部３ｃが設けられている。固定部材４は、蓋材８ａ、８ｂ、金属弾性部材７ａ〜７ｄ、レンズホルダ２が設置されており、アクチェータベース３に固定されている。
【００２２】
対物レンズ１には、図４、図５に示すように、対物レンズ１と一体成形した光学作用面外に３個所の凸状の対物レンズツバ１ａ、１ｂ、１ｃが形成されている。それらの位置関係は、上面より見て、時計時刻に見立てると、対物レンズツバ１ａが６時の位置、対物レンズツバ１ｂが１２時の位置、対物レンズツバ１ｃが３時の位置で、１ａおよび１ｂから見たときに１ｃは対向する位置ではないところに配置されており、１ｃから見たときに１ａ、１ｂは共に対向する位置ではないところに配置されている。
【００２３】
レンズホルダ２は、図６の上面詳細図に示すように、対物レンズ１へ光を導くための穴２１を有しており、その穴２１の周りには前記対物レンズツバ１ａ、１ｂ、１ｃと嵌合するツバ受け２２が設けられている。
【００２４】
図７、図８、図９はレンズホルダ２および対物レンズ１が接着固定されたときの状態を示す図である。対物レンズツバ１ａ、１ｂ、１ｃの３つの底面は、対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａ、１ｂ、１ｃが設置されるツバ受け２２があり、ツバ受け２２は、出射光軸Ｓ（Ｚ方向）に対し垂直な面（ＸＹ平面）上で、出射光軸Ｓにほぼ垂直に位置している。それにより、対物レンズ１およびレンズホルダ２を光軸に対し垂直に位置決めすることができるので、傾きによって発生するコマ収差がなく良好なスポットを形成することができるようになる。
【００２５】
レンズホルダ２と対物レンズ１とのＸＹ位置決めは、Ｘ方向については、対物レンズツバ１ａの端面１ｅとレンズホルダ２のツバ受け２２の端面２２ａとを、同様に対物レンズツバ１ｂの端面１ｆとレンズホルダ２のツバ受け２２の端面２２ｂとを、それぞれ当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。対物レンズ１およびレンズホルダ２の固定は、対物レンズツバ１ａ、１ｂ、１ｃとレンズホルダ２のツバ受けの端面２２ｃ、２２ｄ、２２ｅとにまたがるように接着剤３０ａ、３０ｂ、３０ｃを塗布して硬化させることにより行う。
【００２６】
上記構成にした光ピックアップ駆動ユニットにおいて、光学系（図示せず）よりレーザ光が発せられると、該レーザ光はレンズ１の下にあるミラー（図示せず）で反射して、対物レンズ１に導かれる。
対物レンズ１は、図１０、図１１に示すように、ミラー（図示せず）で反射したレーザ光束を入射させる第一面Ｋで集光透過し、反射させる第二面Ｌで拡散反射し、さらに反射させる第三面Ｌで集光反射し、射出する第四面Ｎで集光するように構成したプリズム形状になっており、第四面から射出したレーザ光束は、光ディスク１１上にスポットを形成する。ここで、第一面Ｋより第四面Ｎは、回転非対称な曲面に形成されている。
【００２７】
光ディスク１１からの反射光は、再び対物レンズ１およびミラーを通過して光学系に戻り、フォーカスエラー、トラッキングエラーおよび記録信号の検出が行われ、フォーカスエラー、トラッキングエラーが検出された場合は、フォーカスコイル９、トラッキングコイル１０ａ、１０ｂに金属弾性部材７ａ〜７ｄを介して電流が流れ、レンズホルダ２が所定の方向に駆動されることになる。これによって、レンズホルダ２およびこれに保持された対物レンズ１のフォーカス制御、トラッキング制御がなされることになる。
【００２８】
フォーカス制御は、光ディスクの面ぶれに追従するためのものであり、その加速度は６０ｍ／ｓ２  程度である。また、トラッキング制御は、光ディスクの偏心に追従するためのものであり、その加速度は２０ｍ／ｓ２  程度である。対物レンズ１とレンズホルダ２との固定には、前記加速度に耐える剛性が必要とされる。
【００２９】
本実施形態の光ピックアップ駆動ユニットに搭載される対物レンズ１は、光学作用する面以外の面に凸状の固定部である対物レンズツバが３個所に設けられており、各対物レンズツバは少なくとも１個所は対向する位置に対物レンズツバが配置されていないので、これら３個所の対物レンズツバを利用して、対物レンズ１をレンズホルダ２と接着固定することにより、特別な固定部材を介することなく、安価に、高剛性の接合が可能になる。したがって、簡単、小型かつ安価に、光ピックアップに要求される剛性を滞足させ得る、光ピックアップの対物レンズを提供することができる。
【００３０】
［第２実施形態］
図１２〜図１５は本発明の第２実施形態の光ピックアップ装置を示すものであり、図１２は本発明の第２実施形態の光ピックアップ装置の対物レンズの斜視図であり、図１３は図１２に示す対物レンズの上面図であり、図１４は第２実施形態の光ピックアップ装置の光ピックアップ起動ユニットのレンズホルダの上面詳細図であり、図１５は第２実施形態の光ピックアップ装置の対物レンズとレンズホルダとの組立図である。なお、第１実施例と同一な構成については詳細な説明を省略する。
【００３１】
本実施形態の対物レンズ１には、図１２、図１３に示すように、光学作用面外に、Ｘ方向に１個所、Ｙ方向に２個所の、凸状で連続した面で構成された、対物レンズツバ１ａが設けられている。
レンズホルダ２には、図１４に示すように、対物レンズ１へ光を導くための穴２１が形成されており、その穴２１の周りには、対物レンズツバ１ａと嵌合するツバ受け２２が設けられている。
【００３２】
対物レンズツバ１ａの３個所の底面は、図１５に示すように、対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａが設置されるツバ受け２２があり、ツバ受け２２は、出射光軸Ｓ（Ｚ方向）に対し垂直な面（ＸＹ平面）上で、出射光軸Ｓにほぼ垂直に位置している。それにより、対物レンズ１およびレンズホルダ２を光軸に対し垂直に位置決めすることができるので、傾きによって発生するコマ収差がなく良好なスポットを形成することができるようになる。
【００３３】
レンズホルダ２と対物レンズ１とのＸＹ位置決めは、Ｘ方向については、対物レンズツバ１ａの端面１ｅとレンズホルダ２のツバ受け２２の端面２２ａとを、同様に対物レンズツバ１ａの端面１ｆとレンズホルダ２のツバ受け２２の端面２２ｂとを、それぞれ当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。対物レンズ１およびレンズホルダ２の固定は、対物レンズツバ１ａとレンズホルダ２のツバ受けの端面２２ｃ、２２ｄ、２２ｅとにまたがるように接着剤３０ａ、３０ｂ、３０ｃを塗布して硬化させることにより行う。なお、上記対物レンズ１とレンズホルダ２との接合は、第１実施形態と同様に、光ディスクの面ぶれおよび偏心に追従するため、その加速度に耐える剛性が必要とされる。
【００３４】
本実施形態の光ピックアップ駆動ユニットに搭載される対物レンズ１は、光学作用する面以外の面に凸状の固定部である対物レンズツバが設けられており、この対物レンズツバは、Ｙ方向の対向する２個所の連続した面と、該２個所の連続した面を接続するＸ方向の１個所の連続した面とから成るので、前記２個所の連続した面と対向する位置にない面内の位置であるＸ方向の１個所の連続した面の所定位置とレンズホルダ２とを接着固定することにより、特別な固定部材を介することなく、安価に、高剛性の接合が可能になる。さらに、凸状の固定部である対物レンズツバを連続した面形状にしたため、対物レンズと対物レンズツバとの剛性が増し、対物レンズツバとレンズホルダとの接触面も増えるので、より高剛性になる。したがって、簡単、小型かつ安価に、光ピックアップに要求される剛性を滞足させ得る、光ピックアップの対物レンズを提供することができる。
【００３５】
［第３実施形態］
図１６〜図１９は本発明の第３実施形態の光ピックアップ装置を示すものであり、図１６は本発明の第３実施形態の光ピックアップ装置の対物レンズの斜視図であり、図１７は図１６に示す対物レンズの上面図であり、図１８は第３実施形態の光ピックアップ装置の光ピックアップ起動ユニットのレンズホルダの上面詳細図であり、図１９は第３実施形態の光ピックアップ装置の対物レンズとレンズホルダとの組立図である。なお、第１実施例と同一な構成については詳細な説明を省略する。
【００３６】
本実施形態の対物レンズ１には、図１６、図１７に示すように、対物レンズ１と一体成形した光学作用面外に４個所の凸状の対物レンズツバ１ａ、１ｂ、１ｃ、１ｄが形成されている。それらの位置関係は、上面より見て、時計時刻に見立てると、対物レンズツバ１ａが６時の位置、対物レンズツバ１ｂが１２時の位置、対物レンズツバ１ｃが３時の位置、対物レンズツバ１ｄが９時の位置で、１ａおよび１ｂから見たときに１ｃおよび１ｄは共に対向する位置ではないところに配置されており、１ｃおよび１ｄから見たときに１ａ、１ｂは共に対向する位置ではないところに配置されている。
レンズホルダ２には、図１８に示すように、対物レンズ１へ光を導くための穴２１が形成されており、その穴２１の周りには、対物レンズツバ１ａと嵌合するツバ受け２２が設けられている。
【００３７】
図１９はレンズホルダ２および対物レンズ１が接着固定されたときの状態を示す図である。対物レンズツバ１ａ、１ｂ、１ｃ、１ｄの４つの底面は、対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａ、１ｂ、１ｃ、１ｄが設置されるツバ受け２２があり、ツバ受け２２は、出射光軸Ｓ（Ｚ方向）に対し垂直な面（ＸＹ平面）上で、出射光軸Ｓにほぼ垂直に位置している。それにより、対物レンズ１およびレンズホルダ２を光軸に対し垂直に位置決めすることができるので、傾きによって発生するコマ収差がなく良好なスポットを形成することができるようになる。
【００３８】
レンズホルダ２と対物レンズ１とのＸＹ位置決めは、Ｘ方向については、対物レンズツバ１ｄの端面１ｅとレンズホルダ２のツバ受け２２の端面２２ａとを当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。対物レンズ１およびレンズホルダ２の固定は、対物レンズツバ１ａ、１ｂ、１ｃ、１ｄとレンズホルダ２のツバ受けの端面２２ｃ、２２ｄ、２２ｅ、２２ａとにまたがるように接着剤３０ａ、３０ｂ、３０ｃ、３０ｄを塗布して硬化させることにより行う。なお、上記対物レンズ１とレンズホルダ２との接合は、第１実施形態と同様に、光ディスクの面ぶれおよび偏心に追従するため、その加速度に耐える剛性が必要とされる。
【００３９】
本実施形態の光ピックアップ駆動ユニットに搭載される対物レンズ１は、光学作用する面以外の面に凸状の固定部である対物レンズツバが４個所に設けられており、各対物レンズツバは少なくとも１個所は対向する位置に対物レンズツバが配置されていないので、これら４個所の対物レンズツバを利用して、対物レンズ１をレンズホルダ２と接着固定することにより、特別な固定部材を介することなく、安価に、高剛性の接合が可能になる。したがって、簡単、小型かつ安価に、光ピックアップに要求される剛性を滞足させ得る、光ピックアップの対物レンズを提供することができる。さらに、４個所で対物レンズを固定するようにしたため、３個所で固定する第１実施形態に比べて、より剛性が増加する。
【００４０】
［第４実施形態］
図２０〜図２３は本発明の第４実施形態の光ピックアップ装置を示すものであり、図２０は本発明の第４実施形態の光ピックアップ装置の対物レンズの斜視図であり、図２１は図２０に示す対物レンズの上面図であり、図２２は第４実施形態の光ピックアップ装置の光ピックアップ起動ユニットのレンズホルダの上面詳細図であり、図２３は第４実施形態の光ピックアップ装置の対物レンズとレンズホルダとの組立図である。なお、第１実施例と同一な構成については詳細な説明を省略する。
【００４１】
本実施形態の対物レンズ１には、図２０、図２１に示すように、光学作用面外に、凸状の固定部である、全周に亘って形成した連続した面で構成された対物レンズツバ１ａが形成されている。
レンズホルダ２には、図２２に示すように、対物レンズ１へ光を導くための穴２１が形成されており、その穴２１の周りには、対物レンズツバ１ａと嵌合するツバ受け２２が設けられている。
【００４２】
図２３はレンズホルダ２および対物レンズ１が接着固定されたときの状態を示す図である。対物レンズツバ１ａの底面は対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａが設置されるツバ受け２２があり、ツバ受け２２は、出射光軸Ｓ（Ｚ方向）に対し垂直な面（ＸＹ平面）上で、出射光軸Ｓにほぼ垂直に位置している。それにより、対物レンズ１およびレンズホルダ２を光軸に対し垂直に位置決めすることができるので、傾きによって発生するコマ収差がなく良好なスポットを形成することができるようになる。
【００４３】
レンズホルダ２と対物レンズ１とのＸＹ位置決めは、Ｘ方向については、対物レンズツバ１ａの端面１ｅとレンズホルダ２のツバ受け２２の端面２２ａとを当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。対物レンズ１およびレンズホルダ２の固定は、対物レンズツバ１ａとレンズホルダ２のツバ受けの端面２２ｃ、２２ｄ、２２ｅ、２２ａとにまたがるように接着剤３０ａ、３０ｂ、３０ｃ、３０ｄを塗布して硬化させることにより行う。なお、上記対物レンズ１とレンズホルダ２との接合は、第１実施形態と同様に、光ディスクの面ぶれおよび偏心に追従するため、その加速度に耐える剛性が必要とされる。
【００４４】
本実施形態の光ピックアップ駆動ユニットに搭載される対物レンズ１は、光学作用する面以外の面に凸状の固定部である対物レンズツバが設けられており、この対物レンズツバは、対物レンズ１の全周（４辺）に亘って形成した連続した面で構成されており、この対物レンズツバの少なくとも１個所の対向する位置にない面内の位置とレンズホルダ２とを接着固定することにより、特別な固定部材を介することなく、安価に、高剛性の接合が可能になる。したがって、簡単、小型かつ安価に、光ピックアップに要求される剛性を滞足させ得る、光ピックアップの対物レンズを提供することができる。さらに、対物レンズツパが対物レンズの全周に設けられているため、対物レンズと対物レンズツバとの剛性が増し、対物レンズツバとレンズホルダとの接触面も増えるので、より高剛性になる。
【００４５】
［第５実施形態］
図２４〜図２７は本発明の第５実施形態の光ピックアップ装置を示すものであり、図２４は本発明の第５実施形態の光ピックアップ装置の対物レンズの斜視図であり、図２５は図２４に示す対物レンズの上面図であり、図２６は第５実施形態の光ピックアップ装置の光ピックアップ起動ユニットのレンズホルダの上面詳細図であり、図２７は第５実施形態の光ピックアップ装置の対物レンズとレンズホルダとの組立図である。なお、第１実施例と同一な構成については詳細な説明を省略する。
【００４６】
本実施形態の対物レンズ１には、図２４、図２５に示すように、光学作用面外に、凸状の固定部である、全周に亘って形成した連続した面で構成された対物レンズツバ１ａが形成されており、この対物レンズツバ１ａは、プリズム形状にした対物レンズの外形に沿う台形形状に形成されている。この場合、突出するプリズム形状にした対物レンズ１の外形と対物レンズツバ１ａの外形とは、ほぼ相似形状となっている。
レンズホルダ２には、図２６に示すように、対物レンズ１へ光を導くための、対物レンズ１の外形に沿うように台形形状にした穴２１が形成されており、その穴２１の周りには、対物レンズツバ１ａと嵌合する、対物レンズ１の外形に沿うように台形形状にしたツバ受け２２が設けられている。
【００４７】
図２７はレンズホルダ２および対物レンズ１が接着固定されたときの状態を示す図である。対物レンズツバ１ａの底面は対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａが設置されるツバ受け２２があり、ツバ受け２２は、出射光軸Ｓ（Ｚ方向）に対し垂直な面（ＸＹ平面）上で、出射光軸Ｓにほぼ垂直に位置している。それにより、対物レンズ１およびレンズホルダ２を光軸に対し垂直に位置決めすることができるので、傾きによって発生するコマ収差がなく良好なスポットを形成することができるようになる。
【００４８】
レンズホルダ２と対物レンズ１とのＸＹ位置決めは、Ｘ方向については、対物レンズツバ１ａの端面１ｅとレンズホルダ２のツバ受け２２の端面２２ａとを当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。対物レンズ１およびレンズホルダ２の固定は、対物レンズツバ１ａとレンズホルダ２のツバ受けの端面２２ｃ、２２ｄ、２２ｅ、２２ａとにまたがるように接着剤３０ａ、３０ｂ、３０ｃ、３０ｄを塗布して硬化させることにより行う。なお、上記対物レンズ１とレンズホルダ２との接合は、第１実施形態と同様に、光ディスクの面ぶれおよび偏心に追従するため、その加速度に耐える剛性が必要とされる。
【００４９】
本実施形態の光ピックアップ駆動ユニットに搭載される対物レンズ１は、光学作用する４面以外の面に、凸状の固定部である、全周（４辺）に亘って形成した連続した面で構成された対物レンズツバ１ａが形成されており、この対物レンズツバ１ａは、プリズム形状にした対物レンズの外形に沿う台形形状に形成されており、かつ、突出するプリズム形状にした対物レンズ１の外形とほぼ相似形状となっているので、この対物レンズツバとレンズホルダ２とを接着固定することにより、特別な固定部材を介することなく、安価に、高剛性の接合が可能になる。したがって、簡単、小型かつ安価に、光ピックアップに要求される剛性を滞足させ得る、光ピックアップの対物レンズを提供することができる。さらに、対物レンズ１の全周に設ける対物レンズツバを対物レンズ１のプリズム形状にした外形に沿う台形形状に形成したため、対物レンズツバの小型化が可能になって軽量化が図られるので、レンズホルダ部全体の剛性に対して有利に作用することになる。
【００５０】
［第６実施形態］
図２８〜図３２は本発明の第６実施形態の光ピックアップ装置を示すものであり、図２８は本発明の第６実施形態の光ピックアップ装置の対物レンズの斜視図であり、図２９は図２８に示す対物レンズの上面図であり、図３０は第６実施形態の光ピックアップ装置の光ピックアップ起動ユニットのレンズホルダの上面詳細図であり、図３１は第６実施形態の光ピックアップ装置の対物レンズとレンズホルダとの組立図であり、図３２は図３１のＣ断面図である。なお、第１実施例と同一な構成については詳細な説明を省略する。
【００５１】
本実施形態の対物レンズ１には、図２８、図２９に示すように、対物レンズ１と一体成形した光学作用面外に、３個所の凸状の対物レンズツバ１ａ、１ｂ、１ｃが形成されている。それらの位置関係は、上面より見て、時計時刻に見立てると、対物レンズツバ１ａが６時の位置、対物レンズツバ１ｂが１２時の位置、対物レンズツバ１ｃが３時の位置で、１ａおよび１ｂから見たときに１ｃは対向する位置ではないところに配置されており、１ｃから見たときに１ａ、１ｂは共に対向する位置ではないところに配置されている。そして、対物レンズツバ１ａ、１ｂ、１ｃの中央付近にはそれぞれ、ツバ凹部１ｒ、１ｓ、１ｔが設けられている。
レンズホルダ２には、図３０に示すように、対物レンズ１へ光を導くための穴２１が形成されており、その穴２１の周りには、対物レンズツバ１ａと嵌合するツバ受け２２が設けられている。
【００５２】
図３１はレンズホルダ２および対物レンズ１が接着固定されたときの状態を示す図である。対物レンズツバ１ａ、１ｂ、１ｃの３つの底面は対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａ、１ｂ、１ｃが設置されるツバ受け２２があり、ツバ受け２２は、出射光軸Ｓ（Ｚ方向）に対し垂直な面（ＸＹ平面）上で、出射光軸Ｓにほぼ垂直に位置している。それにより、対物レンズ１およびレンズホルダ２を光軸に対し垂直に位置決めすることができるので、傾きによって発生するコマ収差がなく良好なスポットを形成することができるようになる。
【００５３】
レンズホルダ２と対物レンズ１とのＸＹ位置決めは、Ｘ方向については、対物レンズツバ１ａの端面１ｅとレンズホルダ２のツバ受け２２の端面２２ａとを、同様に対物レンズツバ１ｂの端面１ｆとレンズホルダ２のツバ受け２２の端面２２ｂと当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。対物レンズ１およびレンズホルダ２の固定は、対物レンズツバ１ａ、１ｂ、１ｃにそれぞれ設けたツバ凹部１ｒ、１ｓ、１ｔとレンズホルダ２のツバ受けの端面２２ｃ、２２ｄ、２２ｅとにまたがるように接着剤３０ａ、３０ｂ、３０ｃを塗布して硬化させることにより行う。なお、上記対物レンズ１とレンズホルダ２との接合は、第１実施形態と同様に、光ディスクの面ぶれおよび偏心に追従するため、その加速度に耐える剛性が必要とされる。
【００５４】
本実施形態の光ピックアップ駆動ユニットに搭載される対物レンズ１は、光学作用する面以外の面に凸状の固定部である対物レンズツバ１ａ、１ｂ、１ｃが設けられているので、これら対物レンズツバ１ａ、１ｂ、１ｃとレンズホルダ２とを接着固定することにより、特別な固定部材を介することなく、安価に、高剛性の接合が可能になる。したがって、簡単、小型かつ安価に、光ピックアップに要求される剛性を滞足させ得る、光ピックアップの対物レンズを提供することができる。さらに、対物レンズツバ１ａ、１ｂ、１ｃにはそれぞれツバ凹部１ｒ、１ｓ、１ｔが設けられているので、これら凹部に接着剤が回り込み、接着力用が増加する。また、これら凹部には接着剤が貯えられるため、接着剤の流れ出しが防止され、粘性の低い接着剤を使用可能になるとともに、接着剤の量の許容範囲が広がるので、作業性が向上する。また、作業の際に、接着剤を塗布する位置を凹部で認知することができるので、この点でも作業性が向上する。
【００５５】
［第７実施形態］
図３３〜図３９は本発明の第７実施形態の光ピックアップ装置を示すものであり、図３３は本発明の第７実施形態の光ピックアップ装置の対物レンズの斜視図であり、図３４は図３３に示す対物レンズの側面図であり、図３５は図３３に示す対物レンズの上面図であり、図３６は第７実施形態の光ピックアップ装置の光ピックアップ起動ユニットのレンズホルダの上面詳細図であり、図３７は第７実施形態の光ピックアップ装置の対物レンズとレンズホルダとの組立図であり、図３８は図３７のＤ断面図であり、図３９は図３７のＥ断面図である。なお、第１実施例と同一な構成については詳細な説明を省略する。
【００５６】
本実施形態の対物レンズ１には、図３３、図３４、図３５に示すように、対物レンズ１と一体成形した光学作用面外に、３個所の凸状の対物レンズツバ１ａ、１ｂ、１ｃが形成されている。それらの位置関係は、上面より見て、時計時刻に見立てると、対物レンズツバ１ａが６時の位置、対物レンズツバ１ｂが１２時の位置、対物レンズツバ１ｃが３時の位置で、１ａおよび１ｂから見たときに１ｃは対向する位置ではないところに配置されており、１ｃから見たときに１ａ、１ｂは共に対向する位置ではないところに配置されている。そして、対物レンズツバ１ａ、１ｂ、１ｃは、出射面より出射する光束の光軸に対し、複数の垂直面を具備している。つまり、対物レンズツバ１ｃは対物レンズツバ１ａ、１ｂに対し、Ｚ方向の位置で距離Ｆずれた位置に配置されている。対物レンズツバ１a、１ｂは同一平面上に配置されている。
レンズホルダ２には、図３６に示すように、対物レンズ１へ光を導くための穴２１が形成されており、その穴２１の周りには、対物レンズツバ１ａ、１ｂのそれぞれと嵌合する２個所のツバ受け２２と、対物レンズツバ１ｃと嵌合するツバ受け２２ｊが設けられている。２個所のツバ受け２２にはそれぞれ接着塗布するためのツバニゲ２２ｈ、２２ｉが形成されている。
【００５７】
図３７はレンズホルダ２および対物レンズ１が接着固定されたときの状態を示す図である。対物レンズツバ１ａ、１ｂの２つの底面は対物レンズの出射光軸Ｓ（Ｚ方向）に対し垂直な同一面（ＸＹ平面）上にあり、出射光軸Ｓにほぼ垂直に位置している。レンズホルダ２には、前記ツバ１ａ、１ｂが設置されるツバ受け２２があり、ツバ受け２２は、出射光軸Ｓ（Ｚ方向）に対し垂直な面（ＸＹ平面）上で、出射光軸Ｓにほぼ垂直に位置している。また、ツバ受け２２ｊの底面は、対物レンズツバ１ａ、１ｂが接するツバ受け２２の底面よりも［Ｆ寸法−０．１ｍｍ］程度高くなるようにし、２２ｊの底面と対物レンズツバ１ｃの底面１ｊが接しないようにしている。前記のような位置関係で、対物レンズレンズ１およびレンズホルダ２はツバ１ａ、１ｂの底面であるツバ底面１ｈ、１ｉとツバ受け２２の底面で接した状態となり、対物レンズ１およびレンズホルダ２を光軸に対し垂直に位置決めすることができるので、傾きによって発生するコマ収差がなく良好なスポットを形成することができるようになる。
【００５８】
レンズホルダ２と対物レンズ１とのＸＹ位置決めは、Ｘ方向については、対物レンズツバ１ａの端面１ｅとレンズホルダ２のツバ受け２２の端面２２ａとを、同様に対物レンズツバ１ｂの端面１ｆとレンズホルダ２のツバ受け２２の端面２２ｂと当接させるように、対物レンズ１を配置することによって行う。また、Ｙ方向については、対物レンズツバ１ａの端面１ｇとレンズホルダ２のツバ受け２２の端面２２ｃとを当接させることにより位置決めを行う。
【００５９】
対物レンズ１およびレンズホルダ２の固定は、対物レンズツバ１ａ、１ｂにそれぞれ設けたツバニゲ２２ｈ、２２ｉの中央付近へ接着剤３０ａ、３０ｂを塗布するとともに、対物レンズツバ１ｃにはツバ受け２２ｊの中央付近へ接着剤３０ｃを塗布してそれぞれ硬化させることにより行う。対物レンズツバ１ｃの底面とツバ受け２２ｊとの間に隙間が生じるが、この隙間に接着剤が回り込むことにより、対物レンズツバ１ｃが固定されることになる。
上述したように対物レンズ１のツバ１ｃとツバ受け２２ｊとの間に隙間が生じるようにすることにより、対物レンズツバ１ａ、１ｂおよび１ｃの出射光軸方向（Ｚ方向）の寸法とレンズホルダ２のツバ受け２２および２２ｊの出射光軸方向（Ｚ方向）の寸法とを正確に一致させなくても、ガタ無く対物レンズ１をレンズホルダ２に取り付けることができるようになる。
なお、上記対物レンズ１とレンズホルダ２との接合は、第１実施形態と同様に、光ディスクの面ぶれおよび偏心に追従するため、その加速度に耐える剛性が必要とされる。
【００６０】
本実施形態の光ピックアップ駆動ユニットに搭載される対物レンズ１は、光学作用する面以外の面に凸状の固定部である対物レンズツバ１ａ、１ｂおよび１ｃが設けられており、これれ対物レンズツバ１ａ、１ｂおよび１ｃは、出射面より出射する光束の光軸に対する複数の垂直面にそれぞれ配置されているので、これら対物レンズツバ１ａ、１ｂおよび１ｃとレンズホルダ２とを接着固定することにより、特別な固定部材を介することなく、安価に、高剛性の接合が可能になる。したがって、簡単、小型かつ安価に、光ピックアップに要求される剛性を滞足させ得る、光ピックアップの対物レンズを提供することができる。また、光束の光軸に対する複数の垂直面に対物レンズ１の対物レンズツバを配置したため対物レンズツバの位置の自由度が増加し、より強固なツバを付けることが可能になり、高剛性の接合が可能になる。
【００６１】
また、本実施形態で用いた反射面を含むプリズム形状の対物レンズの場合には、光学作用面が複雑な形状になっているため、必ずしも同一平面上に対物レンズツバを形成できないが、そのような場合にも本実施形態の手法は有効である。
また、レンズホルダ２にツバニゲ２２ｈ、２２ｊを設けることにより、接着剤の流れ出しが防止され、粘性の低い接着剤が使用可能になるとともに、接着剤の量の許容範囲が広がるので、作業性が向上する。さらに、作業の際に、接着剤を塗布する位置をツバニゲで認知できるので、この点でも作業性が向上する。
【００６２】
なお、本発明は上記各実施形態に限定されるものではなく、様々に変形したり変更したりすることができる。
例えば、対物レンズに設けるツバは、出射光軸に垂直な平面に存在するのではなく、傾きを持った平面内に存在するようにしてもよい。
【図面の簡単な説明】
【００６３】
【図１】本発明の第１実施形態の光ピックアップ装置の光ピックアップ駆動ユニットの外観斜視図である。
【図２】第１実施形態の光ピックアップ装置の光ピックアップ駆動ユニット内にあるボビン部組の斜視図である。
【図３】第１実施形態の光ピックアップ装置の光ピックアップ駆動ユニットの上面図である。
【図４】第１実施形態の光ピックアップ装置の対物レンズの斜視図である。
【図５】第１実施形態の光ピックアップ装置の対物レンズの上面図である。
【図６】第１実施形態の光ピックアップ装置のレンズホルダの上面詳細図である。
【図７】第１実施形態の光ピックアップ装置のレンズホルダおよび対物レンズの組立図である。
【図８】第１実施形態の光ピックアップ装置のレンズホルダおよび対物レンズの一部断面図である。
【図９】第１実施形態の光ピックアップ装置のレンズホルダおよび対物レンズの一部断面図である。
【図１０】第１実施形態の光ピックアップ装置の対物レンズの光学的作用を説明するための断面図である。
【図１１】第１実施形態の光ピックアップ装置の対物レンズの光学的作用を説明するための斜視図である。
【図１２】本発明の第２実施形態の光ピックアップ装置の対物レンズの斜視図である。
【図１３】図１２に示す対物レンズの上面図である。
【図１４】第２実施形態の光ピックアップ装置の光ピックアップ起動ユニットのレンズホルダの上面詳細図である。
【図１５】第２実施形態の光ピックアップ装置の対物レンズとレンズホルダとの組立図である。
【図１６】本発明の第３実施形態の光ピックアップ装置の対物レンズの斜視図である。
【図１７】図１６に示す対物レンズの上面図である。
【図１８】第３実施形態の光ピックアップ装置の光ピックアップ起動ユニットのレンズホルダの上面詳細図である。
【図１９】第３実施形態の光ピックアップ装置の対物レンズとレンズホルダとの組立図である。
【図２０】本発明の第４実施形態の光ピックアップ装置の対物レンズの斜視図である。
【図２１】図２０に示す対物レンズの上面図である。
【図２２】第４実施形態の光ピックアップ装置の光ピックアップ起動ユニットのレンズホルダの上面詳細図である。
【図２３】第４実施形態の光ピックアップ装置の対物レンズとレンズホルダとの組立図である。
【図２４】本発明の第５実施形態の光ピックアップ装置の対物レンズの斜視図である。
【図２５】図２４に示す対物レンズの上面図である。
【図２６】第５実施形態の光ピックアップ装置の光ピックアップ起動ユニットのレンズホルダの上面詳細図である。
【図２７】第５実施形態の光ピックアップ装置の対物レンズとレンズホルダとの組立図である。
【図２８】本発明の第６実施形態の光ピックアップ装置の対物レンズの斜視図である。
【図２９】図２８に示す対物レンズの上面図である。
【図３０】第６実施形態の光ピックアップ装置の光ピックアップ起動ユニットのレンズホルダの上面詳細図である。
【図３１】第６実施形態の光ピックアップ装置の対物レンズとレンズホルダとの組立図である。
【図３２】図３１のＣ断面図である。
【図３３】本発明の第７実施形態の光ピックアップ装置の対物レンズの斜視図である。
【図３４】図３３に示す対物レンズの側面図である。
【図３５】図３３に示す対物レンズの上面図である。
【図３６】第７実施形態の光ピックアップ装置の光ピックアップ起動ユニットのレンズホルダの上面詳細図である。
【図３７】第７実施形態の光ピックアップ装置の対物レンズとレンズホルダとの組立図である。
【図３８】図３７のＤ断面図である。
【図３９】図３７のＥ断面図である。
【図４０】従来技術を説明するための図である。
【図４１】従来技術を説明するための図である。
【符号の説明】
【００６４】
１  対物レンズ
１ａ、１ｂ、１ｃ、１ｄ  対物レンズツバ
１ｅ、１ｆ、１ｇ  ツバ端面
１ｈ、１ｉ、１ｊ  ツバ底面
１ｒ、１ｓ、１ｔ  ツバ凹部
２  レンズホルダ
２ａ、２ｂ  凹部
２ｃ、２ｄ、２ｅ、２ｆ  弾性部材受け
３  アクチェータベース
３ａ、３ｂ、３ｃ  立ち上げ部
４  固定部材
５  ボビン
５ａ、５ｂ  凸部
６  磁石
７ａ、７ｂ、７ｃ、７ｄ  金属弾性部材
８ａ、８ｂ  蓋体
９  フォーカスコイル
１０ａ、１０ｂ  トラッキングコイル
１１  光ディスク
１２  レーザー光束
２１  穴
２２  ツバ受け
２２ａ、２２ｂ、２２ｃ、２２ｄ、２２ｅ  ツバ受け端面
２２ｈ、２２ｉ  ツバニゲ
２２ｊ  ツバ受け
３０ａ、３０ｂ、３０ｃ、３０ｄ  接着剤
Ａ  レンズホルダと対物レンズとの組立断面
Ｂ  レンズホルダと対物レンズとの接着断面
Ｃ  図３１のレンズホルダと対物レンズとの接着断面
Ｄ  図３７のレンズホルダと対物レンズとの接着断面
Ｅ  図３７のレンズホルダと対物レンズとの接着断面
Ｆ  図３４のレンズツバ１ａとレンズツバ１ｃとのＺ方向距離
Ｋ  入射第１面
Ｌ  反射第２面
Ｍ  反射第３面
Ｎ  出射第４面
Ｓ  出射光軸
【図１】
2005321509.tif 000003
【図２】
2005321509.tif 000004
【図３】
2005321509.tif 000005
【図４】
2005321509.tif 000006
【図５】
2005321509.tif 000007
【図６】
2005321509.tif 000008
【図７】
2005321509.tif 000009
【図８】
2005321509.tif 000010
【図９】
2005321509.tif 000011
【図１０】
2005321509.tif 000012
【図１１】
2005321509.tif 000013
【図１２】
2005321509.tif 000014
【図１３】
2005321509.tif 000015
【図１４】
2005321509.tif 000016
【図１５】
2005321509.tif 000017
【図１６】
2005321509.tif 000018
【図１７】
2005321509.tif 000019
【図１８】
2005321509.tif 000020
【図１９】
2005321509.tif 000021
【図２０】
2005321509.tif 000022
【図２１】
2005321509.tif 000023
【図２２】
2005321509.tif 000024
【図２３】
2005321509.tif 000025
【図２４】
2005321509.tif 000026
【図２５】
2005321509.tif 000027
【図２６】
2005321509.tif 000028
【図２７】
2005321509.tif 000029
【図２８】
2005321509.tif 000030
【図２９】
2005321509.tif 000031
【図３０】
2005321509.tif 000032
【図３１】
2005321509.tif 000033
【図３２】
2005321509.tif 000034
【図３３】
2005321509.tif 000035
【図３４】
2005321509.tif 000036
【図３５】
2005321509.tif 000037
【図３６】
2005321509.tif 000038
【図３７】
2005321509.tif 000039
【図３８】
2005321509.tif 000040
【図３９】
2005321509.tif 000041
【図４０】
2005321509.tif 000042
【図４１】
2005321509.tif 000043